(57)【要約】【課題】脚体の荷台部上に荷物を載置することにより手押カートとして用いることができ、又、脚体の座部に着座することにより椅子として使用することができ、又、荷台部に荷物を載置し、背負部を背中に負うことにより背負子として使用することができ、さらには、不使用時等には折畳機構により脚体を折り畳むことができ、用途の融通性を高めることができると共に携帯性を高めることができ、キャンプ、釣り等の多目的使用の利便性を高めることができる。【解決手段】支持枠体１に車輪３を配設すると共に支持枠体に荷台部Ｍ及び座部Ｓを兼ねた脚体４を折畳機構５により折畳自在に配設し、支持枠体に背負部６を配設してなる。【選択図】　　　　図１
2004042761.tif 000002
【特許請求の範囲】
【請求項１】
支持枠体に車輪を配設すると共に該支持枠体に荷台部及び座部を兼ねた脚体を折畳機構により折畳自在に配設し、該支持枠体に背負部を配設してなることを特徴とすることを特徴とするキャリーカート。
【請求項２】
上記脚体の下部に収納体を配設してなることを特徴とする請求項１記載のキャリーカート。
【請求項３】
上記背負部に肩掛紐体を設けてなることを特徴とする請求項１又は２記載のキャリーカート。
【発明の詳細な説明】
【０００１】
【発明の属する技術分野】
本発明は、例えば手押しカート、椅子、背負子、収納バックとして用いられるキャリーカートに関するものである。
【０００２】
【従来の技術】
従来、この種のキャリーカートとして、支持枠体に車輪を配設すると共に該支持枠体に荷台部を突設した構造のものが知られている。
【０００３】
【発明が解決しようとする課題】
しかしながら上記従来構造の場合、小荷物を運搬する所謂、手押しカートとしての使用に限られるため、用途の融通性が低下していることがあるという不都合を有している。
【０００４】
【課題を解決するための手段】
本発明はこのような課題を解決することを目的とするもので、本発明のうちで、請求項１記載の発明は、支持枠体に車輪を配設すると共に該支持枠体に荷台部及び座部を兼ねた脚体を折畳機構により折畳自在に配設し、該支持枠体に背負部を配設してなることを特徴とすることを特徴とするキャリーカートにある。
【０００５】
又、請求項２記載の発明にあっては、上記脚体の下部に収納体を配設してなることを特徴とするものであり、又、請求項３の発明にあっては、上記背負部に肩掛紐体を設けてなることを特徴とするものである。
【０００６】
【発明の実施の形態】
図１乃至図７は本発明の実施の形態例を示し、１は支持枠体であって、この場合、アルミニュウム管を上部杆１ａ及び左右の側杆部１ｂ・１ｂからなる逆Ｕ状に折曲形成すると共に左右の側杆部１ｂ・１ｂの下部間に支持軸２を架設し、支持軸２の左右の突出部に車輪３・３を回転自在に配設して構成している。
【０００７】
４は脚体であって、この場合、アルミニュウム管を脚部杆４ａ及び左右の側杆部４ｂ・４ｂからなる側面ヘ形状で平面Ｕ状に折曲形成すると共に左右の側杆部４ｂ・４ｂ間に複数個の座杆４ｃを溶接により架設してなり、これにより荷台部Ｍ及び座部Ｓを兼ねた脚体４を形成し、この脚体４の左右の側杆部４ｂ・４ｂの各開放端部を支持枠体１の左右の側杆部１ｂ・１ｂの下部寄りに折畳機構５によって座部Ｓが略水平な展開位置Ｄと座部Ｓが支持枠体１の側杆部１ｂ・１ｂに沿った折畳位置Ｆとの間を支点軸５ａを中心として折畳自在に設けている。
【０００８】
この場合、上記折畳機構５として、図３の如く、上記側杆部４ｂ・４ｂの各開放端部に断面Ｕ状のブラケット５ｂをリベット固定し、ブラケット５ｂを側杆部１ｂ・１ｂに嵌合すると共にブラケット５ｂの一方片にナット５ｃを固着し、支点軸５ａにノブ５ｄを取付け、支点軸５ａをブラケット５ｂの他方片から側杆部１ｂを挿通してナット５ｃに螺着し、ノブ５ｄの締付弛緩回動により脚体４を図１の展開位置Ｄと図４の折畳位置Ｆとに固定可能に設けて構成している。
【０００９】
６は背負部であって、この場合、上記支持枠体１の左右の側杆部１ｂ・１ｂの上部寄り間に背中当布６ａを架設し、側杆部１ｂ・１ｂの上部に桟杆６ｂを架設し、桟杆６ｂと側杆部１ｂ・１ｂとの間に肩掛紐体６ｃ・６ｃを架設して構成している。
【００１０】
７は収納体であって、布地製の箱状に形成され、前部にファスナー７ａが設けられ、脚体４の左右の側杆部４ｂ・４ｂに吊下状に配設されている。
【００１１】
この実施の形態例は上記構成であるから、例えば、図１、図５の如く、支持枠体１に対して脚体４を展開位置Ｄに配設し、脚体４の荷台部Ｍ上に荷物Ｋを載置することにより手押カートとして用いることができ、又、図６の如く、脚体４の座部Ｓに着座することにより椅子として使用することができ、又、図７の如く、荷台部Ｍに荷物Ｋを載置し、背負部６を背中に負うことにより背負子として使用することができ、さらには、図４の如く、不使用時等には折畳機構により折り畳むことができ、用途の融通性を高めることができると共に携帯性を高めることができ、キャンプ、釣り等の多目的使用の利便性を高めることができる。
【００１２】
又、この場合、上記脚体４の下部に収納体７を配設しているから、携帯用バッグとして使用することもでき、用途の融通性を高めることができ、又、この場合、上記背負部６に肩掛紐体６ｃを設けてなるから、楽に背負うことができる。
【００１３】
尚、本発明は上記実施の形態例に限られるものではなく、支持枠体１、脚体４、折畳機構４、背負部６、収納体７等の構造や材質、個数等は適宜変更して設計される。
【００１４】
【発明の効果】
本発明は上述の如く、請求項１記載の発明にあっては、脚体の荷台部上に荷物を載置することにより手押カートとして用いることができ、又、脚体の座部に着座することにより椅子として使用することができ、又、荷台部に荷物を載置し、背負部を背中に負うことにより背負子として使用することができ、さらには、不使用時等には折畳機構により脚体を折り畳むことができ、用途の融通性を高めることができると共に携帯性を高めることができ、キャンプ、釣り等の多目的使用の利便性を高めることができる。
【００１５】
又、請求項２記載の発明にあっては、上記脚体の下部に収納体を配設しているから、携帯用バッグとして使用することもでき、用途の融通性を高めることができ、又、請求項３記載の発明にあっては、上記背負部に肩掛紐体を設けてなるから、楽に背負うことができる。
【００１６】
以上、所期の目的を充分達成することができる。
【図面の簡単な説明】
【図１】本発明の実施の形態例の全体斜視図である。
【図２】本発明の実施の形態例の全体側面図である。
【図３】本発明の実施の形態例の部分断面図である。
【図４】本発明の実施の形態例の折畳状態の全体側面図である。
【図５】本発明の実施の形態例の使用状態の説明図である。
【図６】本発明の実施の形態例の他の使用状態の説明図である。
【図７】本発明の実施の形態例の他の使用状態の説明図である。
【符号の説明】
Ｓ　座部
Ｍ　荷台部
１　支持枠体
３　車輪
４　脚体
５　折畳機構
６　背負部
７　収納体
【図１】
2004042761.tif 000003
【図２】
2004042761.tif 000004
【図３】
2004042761.tif 000005
【図４】
2004042761.tif 000006
【図５】
2004042761.tif 000007
【図６】
2004042761.tif 000008
【図７】
2004042761.tif 000009